(57)【要約】【課題】燃料電池と空調の協調冷却システムにおいて、冷却水の溶出イオン濃度を抑制し、冷却水の温度上昇を抑制することである。【解決手段】燃料電池と空調の協調冷却システム８０は、三方弁９６が遮断状態で、ＦＣ循環流路とＡＣ循環流路とが遮断状態にあって、ＡＣ冷媒ポンプ１２６が停止しているときには、イオン交換器１４４に設けられるイオン検出手段によって検出された冷媒のイオン濃度、またはＡＣ冷却水温度計１４２によって取得されたＡＣ冷却水温度に応じて、三方弁９６を連結状態としてＦＣ側冷媒とＡＣ側冷媒とを共通化する。ＦＣ冷却水温度が所定範囲を超えて高温あるいは低温であるときは、三方弁９６を遮断状態として、燃料電池スタック２２の運転を優先する。【選択図】図２
2008130476.tif 000002
【特許請求の範囲】
【請求項１】
燃料電池冷却系と空調冷却系との間で冷媒を共通化して協調制御を行う協調冷却システムであって、
燃料電池冷却系と空調冷却系との間を遮断する遮断状態と、燃料電池冷却系と空調冷却系との間を連結する連結状態とを切り換える制御弁と、
燃料電池冷却系または空調冷却系のいずれか一方に設けられるイオン交換器と、
イオン交換器と共に設けられ、冷媒中のイオン濃度を検出するイオン検出手段と、
燃料電池冷却系の冷媒の温度または空調冷却系の冷媒の温度を取得する冷媒温度取得手段と、
制御弁が遮断状態にあり、燃料電池冷却系のポンプまたは空調冷却系のポンプのいずれかが停止しているとき、イオン検出手段によって検出された冷媒のイオン濃度、または冷媒温度取得手段によって取得された冷媒の温度に応じて、制御弁を連結状態として燃料電池冷却系の冷媒と空調冷却系の冷媒とを共通化する共通化手段と、
を備えることを特徴とする燃料電池と空調の協調冷却システム。
【請求項２】
燃料電池冷却系と空調冷却系との間で冷媒を共通化して協調制御を行う協調冷却システムであって、
燃料電池本体であるＦＣスタックとＦＣラジエータとの間をＦＣ冷媒ポンプによってＦＣ側冷媒を循環させるＦＣ循環流路と、
空調用ヒートポンプであるＡＣヒートポンプとＡＣ側冷媒との間で熱交換を行うＡＣ熱交換器と、ＡＣ熱交換器を配置するＡＣ熱交換流路と、熱交換流路の両端を接続する接続流路と、ＡＣ冷媒ポンプとを有し、ＡＣ側冷媒を循環させるＡＣ循環流路と、
ＦＣ循環流路と、ＡＣ循環流路との間に設けられる制御弁であって、ＦＣ循環流路とＡＣ循環流路とを遮断する遮断状態と、ＡＣ循環流路の接続流路を開放してＡＣ熱交換流路をＦＣ循環流路に並列に連結してＦＣ側冷媒とＡＣ側冷媒とを共通化する連結状態との間を切り換える制御弁と、
ＦＣ循環流路またはＡＣ循環流路のいずれか一方に設けられるイオン交換器と、
イオン交換器と共に設けられ、冷媒中のイオン濃度を検出するイオン検出手段と、
ＦＣ側冷媒またはＡＣ側冷媒の温度を取得する冷媒温度取得手段と、
制御弁が遮断状態にあり、ＦＣ冷媒ポンプまたはＡＣ冷媒ポンプのいずれかが停止しているとき、イオン検出手段によって検出された冷媒のイオン濃度、または冷媒温度取得手段によって取得された冷媒の温度に応じて、制御弁を連結状態としてＦＣ側冷媒とＡＣ側冷媒とを共通化する共通化手段と、
を備えることを特徴とする燃料電池と空調の協調冷却システム。
【請求項３】
請求項２に記載の燃料電池と空調の協調冷却システムにおいて、
共通化手段は、イオン検出手段によって検出された冷媒のイオン濃度、または冷媒温度取得手段によって取得された冷媒の温度に応じて、制御弁を一時的に連結状態とすることを特徴とする燃料電池と空調の協調冷却システム。
【請求項４】
請求項２に記載の燃料電池と空調の協調冷却システムにおいて、
共通化手段は、外気温度に基づいて、制御弁を一時的に連結状態とすることを特徴とする燃料電池と空調の協調冷却システム。
【請求項５】
燃料電池冷却系と空調冷却系との間で冷媒を共通化して協調制御を行う協調冷却システムであって、
燃料電池本体であるＦＣスタックとＦＣラジエータとの間をＦＣ冷媒ポンプによってＦＣ側冷媒を循環させるＦＣ循環流路と、
空調用ヒートポンプであるＡＣヒートポンプとＡＣ側冷媒との間で熱交換を行うＡＣ熱交換器と、ＡＣ熱交換器を配置するＡＣ熱交換流路と、熱交換流路の両端を接続する接続流路と、ＡＣ冷媒ポンプとを有し、ＡＣ側冷媒を循環させるＡＣ循環流路と、
ＦＣ循環流路と、ＡＣ循環流路との間に設けられる制御弁であって、ＦＣ循環流路とＡＣ循環流路とを遮断する遮断状態と、ＡＣ循環流路の接続流路を開放してＡＣ熱交換流路をＦＣ循環流路に並列に連結してＦＣ側冷媒とＡＣ側冷媒とを共通化する連結状態との間を切り換える制御弁と、
ＦＣ循環流路またはＡＣ循環流路のいずれか一方に設けられるイオン交換器と、
イオン交換器と共に設けられ、冷媒中のイオン濃度を検出するイオン検出手段と、
ＦＣ側冷媒またはＡＣ側冷媒の温度を取得する冷媒温度取得手段と、
を備え、
ＦＣ側冷媒の温度が任意に設定される温度範囲を超えるとき、制御弁を遮断状態とすることを特徴とする燃料電池と空調の協調冷却システム。
【請求項６】
請求項５に記載の燃料電池と空調の協調冷却システムにおいて、
ＡＣヒートポンプの両端を接続できるバイパス流路と、
バイパス流路とＡＣ熱交換器との接続点に設けられる切換弁であって、バイパス流路を開放してＡＣヒートポンプとＡＣ熱交換器とを接続するＡＣ熱交換循環路とする連結状態と、ＡＣヒートポンプとバイパス流路を接続した空調循環路とＡＣ熱交換器とを切り離す分離状態との間で切り換える切換弁と、
を備え、
制御弁を遮断状態とし、ＡＣ冷媒ポンプを停止するときは、切換弁を分離状態とすることを特徴とする燃料電池と空調の協調冷却システム。
【請求項７】
請求項５に記載の燃料電池と空調の協調冷却システムにおいて、
制御弁を遮断状態とし、ＡＣヒートポンプを稼動させるときは、停止させていたＡＣ冷媒ポンプを稼動させることを特徴とする燃料電池と空調の協調冷却システム。
【発明の詳細な説明】
【技術分野】
【０００１】
本発明は燃料電池と空調の協調冷却システムに係り、特に、燃料電池冷却系と空調冷却系との間で冷媒を共通化して協調制御を行う燃料電池と空調の協調冷却システムに関する。
【背景技術】
【０００２】
環境に与える影響が少ないことから、車両に燃料電池の搭載が行われている。燃料電池は、例えば燃料電池スタックのアノード側に水素等の燃料ガスを供給し、カソード側に酸素を含む酸化ガス、例えば空気を供給し、電解質膜を通しての反応によって必要な電力を取り出す。この反応のために燃料電池は発熱し、その冷却のために燃料電池スタック内に冷却水等の冷媒を流し、これをラジエータ等で冷却することが行われる。また燃料電池の起動時に低温であると、燃料電池を暖めるために、ヒータ等で冷媒を適当な温度に加熱することが行われる。このように、燃料電池スタックに冷媒を流し、その温度を調整することが行われる。
【０００３】
また、燃料電池スタックのカソード側に供給される酸化ガスを適当な圧力とするためにエアーコンプレッサ（ＡＣＰ）等のガス圧縮器が用いられる。このＡＣＰも作動に応じて発熱するので、インタクーラと呼ばれる熱交換器で冷却される。さらに、車両には、その車室内の空調のための熱交換器が設けられる。このように、車両には目的と対象の相違する様々な熱交換器が設けられているので、これらの相互利用は検討に値する。
【０００４】
例えば、特許文献１には、燃料電池の冷却水を用いた車両用暖房装置において、この暖められた冷却水を利用するヒートコアと、燃焼式ヒータとを用い、冷却水温度によって、三方弁等を制御して冷却水ルートを変更することが開示されている。ここでは、冷却水温度が低いときは三方弁を閉じて、燃料電池の冷却水ルートと、燃焼式ヒータを含む冷却水ルートとを遮断し、それぞれを独立とする。一方、冷却水温度が高くなると、三方弁を開いて、燃料電池の冷却水の一部をヒートコアに供給し、これを車室内の暖房に利用する。
【０００５】
また、このように熱交換のために冷却水を循環させる流路を設けると、その流路を構成する部品からイオンが溶出することがある。例えば、特許文献２には、燃料電池の循環冷却水の導電率管理のためにイオン除去フィルタ等を用いることが行われているが、燃料電池を起動していないときには冷却水が循環しないのでイオン除去フィルタでイオンを除去できず、燃料電池を長期間作動されないまま放置されると、基準値を超える導電率の冷却水となることを指摘している。
【０００６】
【特許文献１】特開２００２−１２７７３４号公報
【特許文献２】特開２００４−１９２８５４号公報
【発明の開示】
【発明が解決しようとする課題】
【０００７】
上記のように、燃料電池によって暖められた冷却水の熱をヒートコアによって車室内の暖房に利用する場合、三方弁の開閉を行い、冷却水ルートを変更することが行われる。燃料電池の冷却水の熱の利用は、暖房用であるので、例えば、夏場等で暖房を使用しないときには、冷却水ルートの変更が長期間行われないことが起こる。この場合、燃料電池側の冷却水循環流路と空調側の循環流路とが分離されたままであるので、その閉鎖された循環流路においては、水温が上昇し過ぎ、極端な場合、冷却水が沸騰する恐れがある。また、特許文献２で指摘されるように溶出イオン濃度が高まり、絶縁抵抗が低下する恐れがある。
【０００８】
本発明の目的は、冷却水の溶出イオン濃度を抑制することが可能な燃料電池と空調の協調冷却システムを提供することである。また、他の目的は、冷却水の温度が上昇しすぎることを抑制できる燃料電池と空調の協調冷却システムを提供することである。以下の手段は、これらの目的の少なくとも１つに貢献する。
【課題を解決するための手段】
【０００９】
本発明に係る燃料電池と空調の協調冷却システムは、燃料電池冷却系と空調冷却系との間で冷媒を共通化して協調制御を行う協調冷却システムであって、燃料電池冷却系と空調冷却系との間を遮断する遮断状態と、燃料電池冷却系と空調冷却系との間を連結する連結状態とを切り換える制御弁と、燃料電池冷却系または空調冷却系のいずれか一方に設けられるイオン交換器と、イオン交換器と共に設けられ、冷媒中のイオン濃度を検出するイオン検出手段と、燃料電池冷却系の冷媒の温度または空調冷却系の冷媒の温度を取得する冷媒温度取得手段と、制御弁が遮断状態にあり、燃料電池冷却系のポンプまたは空調冷却系のポンプのいずれかが停止しているとき、イオン検出手段によって検出された冷媒のイオン濃度、または冷媒温度取得手段によって取得された冷媒の温度に応じて、制御弁を連結状態として燃料電池冷却系の冷媒と空調冷却系の冷媒とを共通化する共通化手段と、を備えることを特徴とする。
【００１０】
本発明に係る燃料電池と空調の協調冷却システムは、燃料電池冷却系と空調冷却系との間で冷媒を共通化して協調制御を行う協調冷却システムであって、燃料電池本体であるＦＣスタックとＦＣラジエータとの間をＦＣ冷媒ポンプによってＦＣ側冷媒を循環させるＦＣ循環流路と、空調用ヒートポンプであるＡＣヒートポンプとＡＣ側冷媒との間で熱交換を行うＡＣ熱交換器と、ＡＣ熱交換器を配置するＡＣ熱交換流路と、熱交換流路の両端を接続する接続流路と、ＡＣ冷媒ポンプとを有し、ＡＣ側冷媒を循環させるＡＣ循環流路と、ＦＣ循環流路と、ＡＣ循環流路との間に設けられる制御弁であって、ＦＣ循環流路とＡＣ循環流路とを遮断する遮断状態と、ＡＣ循環流路の接続流路を開放してＡＣ熱交換流路をＦＣ循環流路に並列に連結してＦＣ側冷媒とＡＣ側冷媒とを共通化する連結状態との間を切り換える制御弁と、ＦＣ循環流路またはＡＣ循環流路のいずれか一方に設けられるイオン交換器と、イオン交換器と共に設けられ、冷媒中のイオン濃度を検出するイオン検出手段と、ＦＣ側冷媒またはＡＣ側冷媒の温度を取得する冷媒温度取得手段と、制御弁が遮断状態にあり、ＦＣ冷媒ポンプまたはＡＣ冷媒ポンプのいずれかが停止しているとき、イオン検出手段によって検出された冷媒のイオン濃度、または冷媒温度取得手段によって取得された冷媒の温度に応じて、制御弁を連結状態としてＦＣ側冷媒とＡＣ側冷媒とを共通化する共通化手段と、を備えることを特徴とする。
【００１１】
また、共通化手段は、イオン検出手段によって検出された冷媒のイオン濃度、または冷媒温度取得手段によって取得された冷媒の温度に応じて、制御弁を一時的に連結状態とすることが好ましい。
【００１２】
また、共通化手段は、外気温度に基づいて、制御弁を一時的に連結状態とすることが好ましい。
【００１３】
また、本発明に係る燃料電池と空調の協調冷却システムは、燃料電池冷却系と空調冷却系との間で冷媒を共通化して協調制御を行う協調冷却システムであって、燃料電池本体であるＦＣスタックとＦＣラジエータとの間をＦＣ冷媒ポンプによってＦＣ側冷媒を循環させるＦＣ循環流路と、空調用ヒートポンプであるＡＣヒートポンプとＡＣ側冷媒との間で熱交換を行うＡＣ熱交換器と、ＡＣ熱交換器を配置するＡＣ熱交換流路と、熱交換流路の両端を接続する接続流路と、ＡＣ冷媒ポンプとを有し、ＡＣ側冷媒を循環させるＡＣ循環流路と、ＦＣ循環流路と、ＡＣ循環流路との間に設けられる制御弁であって、ＦＣ循環流路とＡＣ循環流路とを遮断する遮断状態と、ＡＣ循環流路の接続流路を開放してＡＣ熱交換流路をＦＣ循環流路に並列に連結してＦＣ側冷媒とＡＣ側冷媒とを共通化する連結状態との間を切り換える制御弁と、ＦＣ循環流路またはＡＣ循環流路のいずれか一方に設けられるイオン交換器と、イオン交換器と共に設けられ、冷媒中のイオン濃度を検出するイオン検出手段とＦＣ側冷媒またはＡＣ側冷媒の温度を取得する冷媒温度取得手段と、を備え、ＦＣ側冷媒の温度が任意に設定される温度範囲を超えるとき、制御弁を遮断状態とすることを特徴とする。
【００１４】
また、本発明に係る燃料電池と空調の協調冷却システムにおいて、ＡＣヒートポンプの両端を接続できるバイパス流路と、バイパス流路とＡＣ熱交換器との接続点に設けられる切換弁であって、バイパス流路を開放してＡＣヒートポンプとＡＣ熱交換器とを接続するＡＣ熱交換循環路とする連結状態と、ＡＣヒートポンプとバイパス流路を接続した空調循環路とＡＣ熱交換器とを切り離す分離状態との間で切り換える切換弁と、を備え、制御弁を遮断状態とし、ＡＣ冷媒ポンプを停止するときは、切換弁を分離状態とすることが好ましい。
【００１５】
また、本発明に係る燃料電池と空調の協調冷却システムにおいて、制御弁を遮断状態とし、ＡＣヒートポンプを稼動させるときは、停止させていたＡＣ冷媒ポンプを稼動させることが好ましい。
【発明の効果】
【００１６】
上記構成の少なくとも１つにより、燃料電池と空調の協調冷却システムは、ＦＣ循環流路とＡＣ循環流路とが遮断状態にあって、ＦＣ冷媒ポンプまたはＡＣ冷媒ポンプのいずれかが停止しているときには、イオン検出手段によって検出された冷媒のイオン濃度、または冷媒温度取得手段によって取得された冷媒の温度に応じて、制御弁を連結状態としてＦＣ側冷媒とＡＣ側冷媒とを共通化する。この共通化により、稼動している冷媒ポンプによって冷媒が循環し、これにより、イオン濃度が均一化され、また、イオン交換器によってイオンが除去され、全体として冷却水の溶出イオン濃度を抑制することができる。また、この共通化により、冷却水の温度が均一化され、冷却水の温度が上昇しすぎることを抑制できる。
【００１７】
また、上記構成の少なくとも１つにより、燃料電池と空調の協調冷却システムは、ＦＣ側冷媒の温度が任意に設定される温度範囲を超えるとき、制御弁を遮断状態として、ＦＣ循環流路とＡＣ循環流路とを分離する。例えば、制御弁を連結状態としてＦＣ側冷媒とＡＣ側冷媒とを共通化することで、ＦＣ循環流路の温度が燃料電池の運転からみて許容される範囲よりも低温あるいは高温になることがある。このような場合には、制御弁を遮断状態にすることで、燃料電池側の温度条件等を優先させることができる。
【００１８】
また、ＡＣヒートポンプの両端を切換弁によって接続できるバイパス流路を設け、制御弁を遮断状態とし、ＡＣ冷媒ポンプを停止するときは、切換弁を分離状態とする。これにより、ＡＣヒートポンプからの熱い冷媒をＡＣ熱交換器に供給せずにすみ、ＡＣ循環流路の冷却水の温度上昇を抑制できる。また、ＡＣヒートポンプを稼動させるときは、ＡＣ循環ポンプを稼動させるので、これによって冷却水が循環するので、その温度が均一化され、冷却水の温度が上昇しすぎることを抑制できる。
【発明を実施するための最良の形態】
【００１９】
以下に図面を用いて本発明に係る実施の形態につき詳細に説明する。以下では、燃料電池と空調の協調冷却システムに用いられる共通化冷媒として、冷却水を用いるものとして説明するが、冷却水以外の流体冷媒であってもよい。また、燃料電池スタック側の冷却系にエアコンプレッサ（ＡＣＰ）に関して協調的な冷却を行うものとしたが、ＡＣＰに関する協調的な冷却を含まない構成とすることもできる。また、空調側の冷却系に、共通化冷媒と空調用ヒートポンプとの間で熱交換するＡＣ熱交換器と、ヒートコアとが配置されるものとして説明するが、これら以外の要素を空調側冷却系に含む構成とすることもできる。例えば、補助ヒータ等を空調側冷却系に含むものとしてもよい。
【実施例１】
【００２０】
燃料電池と空調の協調冷却システムは、燃料電池の運転システムに適用される冷却システムであるので、最初に燃料電池の運転システムの構成を説明し、その後に、燃料電池と空調の協調冷却システムを述べる。
【００２１】
図１は燃料電池と空調の協調冷却システムが適用される燃料電池運転システム１０の構成図である。燃料電池運転システム１０は、運転システム本体部２０と、運転システム本体部２０の各要素をシステム全体として制御する制御部７０とを含んで構成されている。
【００２２】
運転システム本体部２０は、燃料電池セルが複数積層されて燃料電池スタック２２と呼ばれる燃料電池本体及び、燃料電池スタック２２のアノード側に配置される水素ガス供給のための各要素と、カソード側に配置される空気供給のための各要素を含んで構成される。
【００２３】
燃料電池スタック２２は、電解質膜の両側に触媒電極層を配置したＭＥＡ（Ｍｅｍｂｒａｎｅ  Ｅｌｅｃｔｒｏｄｅ  Ａｓｓｅｍｂｌｙ）の両外側にセパレータを配置して挟持した単電池を複数個組み合わせて積層したものである。燃料電池スタック２２は、アノード側に水素等の燃料ガスを供給し、カソード側に酸素を含む酸化ガス、例えば空気を供給し、電解質膜を通しての電池化学反応によって発電し、必要な電力を取り出す機能を有する。なお、発電された電力は、ＦＣ発電電力検出部６８によって検出され、検出された発電電力のデータは、制御部７０に伝送される。
【００２４】
アノード側の水素ガス源２４は、燃料ガスとしての水素を供給するタンクである。水素ガス源２４に接続されるレギュレータ２６は、水素ガス源２４からのガスを適当な圧力と流量に調整する機能を有する。レギュレータ２６の出力口に設けられる圧力計２８は、供給水素圧力を検出する測定器である。レギュレータ２６の出力口は燃料電池スタック２２のアノード側入口に接続され、適当な圧力と流量に調整された燃料ガスが燃料電池スタック２２に供給される。
【００２５】
燃料電池スタック２２のアノード側出口に接続される分流器３２は、アノード側出口からの排出ガスの不純物ガス濃度が高まってきたときに、排気バルブ３４を通して希釈器６４に流すためのものである。このときの排気ガスは、窒素の他に反応生成物の水も含む水素ガスである。また、分流器３２の後でさらにアノード側入口との間に設けられる循環昇圧器３０は、アノード側出口から戻ってくるガスの水素分圧を高めて再びアノード側入口に戻し再利用する機能を有する水素ポンプである。
【００２６】
カソード側の酸化ガス源４０は、実際には大気を用いることができる。酸化ガス源４０である大気はフィルタ４２を通してからカソード側に供給される。フィルタ４２の後に設けられる流量計４４は、酸化ガス源４０からの全供給流量を検出するフローメータである。また、フィルタ４２の後に設けられる酸化ガス温度計４６は、酸化ガス源４０からのガスの温度を検出する機能を有する。
【００２７】
エアコンプレッサ（ＡＣＰ）４８は、モータ５０によって酸化ガスを容積圧縮してその圧力を高める気体昇圧機である。またＡＣＰ４８は、制御部７０の制御の下で、その回転速度（毎分当りの回転数）を可変して、所定量の酸化ガスを提供する機能を有する。すなわち、酸化ガスの所要流量が大きいときは、モータ５０の回転速度を上げ、逆に酸化ガスの所要流量が小さいときは、モータ５０の回転速度を下げる。ＡＣＰ消費電力検出部５２は、ＡＣＰ４８の消費電力、具体的にはモータ５０の消費電力を検出する機能を有する測定器である。モータ５０は、回転速度を上げると消費電力が大きくなり、回転速度を下げると消費電力が小さくなるので、消費電力は、モータの回転速度、あるいは酸化ガス流量に密接に関連する。
【００２８】
加湿器５４は、酸化ガスを適度に湿らせ、燃料電池スタック２２での燃料電池反応を効率よく行わせる機能を有するものである。加湿器５４により適度に湿らせられた酸化ガスは、燃料電池スタック２２のカソード側入口に供給され、カソード側出口から排気される。このときに、排気とともに反応生成物である水も排出される。燃料電池スタック２２は反応により高温になるので、排出される水は水蒸気となっており、この水蒸気が加湿器５４に供給され、酸化ガスを適度に湿らせる。このように、加湿器５４は、酸化ガスに水蒸気の水分を適当に与える機能を有するもので、いわゆる中空糸を用いたガス交換器を用いることができる。
【００２９】
ここで、上記の酸化ガス源４０と、燃料電池スタック２２のカソード側入口とを接続する流路のことを入口側流路と呼ぶことができる。これに対応して、燃料電池スタック２２のカソード側出口から排気側へ接続される流路を出口側流路と呼ぶことができる。酸化ガスの経路である酸化ガス経路６６は、酸化ガス源４０から加湿器５４を経由して入口側流路より燃料電池スタック２２の内部に入り、出口側流路から加湿器５４を経由して外気へと延びる。
【００３０】
出口側流路のカソード側出口に設けられる圧力計５６は、カソード側出口のガス圧を検出する機能を有する。また出口側流路に設けられる調圧弁６０は、背圧弁とも呼ばれるが、カソード側出口のガス圧を調整し、燃料電池スタック２２への酸化ガスの流量を調整する機能を有する弁で、例えばバタフライ弁のように流路の実効開口を調整できる弁を用いることができる。調圧弁６０の出力口は、上記の加湿器５４に接続されるので、調圧弁６０を出たガスは加湿器５４に水蒸気を供給した後、再び戻って、希釈器６４に入り、その後外部に排出される。
【００３１】
希釈器６４は、アノード側の排気バルブ３４からの水素混じりの排水、及び、カソード側の水蒸気混じりでさらにＭＥＡを通して漏れてくる水素混じりの排気を集め、適当な水素濃度として外部に排出するためのバッファ容器である。
【００３２】
制御部７０は、運転システム本体部２０の上記の各要素をシステム全体として制御するもので、いわゆる燃料電池ＣＰＵと呼ばれることがある。例えば、制御部７０は、要求発電量と、ＦＣ発電電力検出部６８から伝送される発電電力のデータとに基づいて、ＡＣＰ４８の回転数制御を行い、また、調圧弁６０の制御を行う機能を有する。なお、制御部７０は、後述の協調冷却制御部１５０の機能を併せ持つことができる。これらの機能はソフトウェアで実現でき、具体的には、対応する燃料電池運転プログラム等を実行することで実現できる。これらの機能の一部をハードウェアで実現することもできる。
【００３３】
このような燃料電池運転システム１０において、燃料電池スタック２２は燃料ガスと酸化ガスとの間の反応により発熱する。また、ＡＣＰ４８もその運転に伴い、モータ５０等が発熱する。さらに、燃料電池スタック２２のカソード側に供給される酸化ガスの温度は適当であることが好ましい。
【００３４】
また、燃料電池運転システム１０が車両に搭載されるときは、車室内の空調のために空調システムが設けられるが、例えば車室内が冷え切っているときなど、燃料電池スタック２２の廃熱が利用できるならば、それを用いて車室内を短時間で適度な温度にすることが望まれる。一方、燃料電池スタック２２の起動時において、低温の燃料電池スタック２２を空調システムの要素を用いて暖機できれば、燃料電池スタック２２の早期の稼動が可能になる。
【００３５】
このように、燃料電池運転システム１０を構成する要素と、空調システムを構成する要素との間で、その冷却等について協調的に制御を行うことで、燃料電池の運転と空調運転とを全体として効率的なものとすることができる。そのために燃料電池と空調の協調冷却システムが設けられる。
【００３６】
なお、以下において、燃料電池スタックをラジエータで冷却する冷却流路を主冷却流路とし、主冷却流路に並列に冷媒を分流する冷却流路を分流冷却流路として説明する。主冷却流路と分流冷却流路を流れる冷媒は、水を主成分とするものである。そして、分流冷却流路に設けられる熱交換器として、ＡＣＰ４８の冷却用のものと、車室内空調に用いられるものとを説明する。
【００３７】
ＡＣＰ４８の冷却用のものは、ラジエータを第１の熱交換器と考えて、第２熱交換器と呼ぶことにする。この場合の第２熱交換器は、従来ＡＣＰ４８を独立して冷却するためのインタクーラを、分流された冷媒で熱交換することにして、冷却システムとして統合を図った形態となっているが、もちろん、インタクーラを従来通り独立の冷却系のままとし、第２熱交換器を他の要素の冷却に用いるものとしてもよい。
【００３８】
車室内空調に用いられるものは、分流された冷媒の熱をブロワからの送風との間で熱交換を行うものと、空調システムの冷媒ガスと分流冷却流路の冷媒との間で熱交換を行うものとを用いるが、これらを区別し、前者をヒートコア、後者をＡＣ熱交換器と呼ぶことにする。なお、ＡＣとは、Ａｉｒ  Ｃｏｎｄｉｔｉｏｎｅｒの頭文字を用いたもので、空調系を指す。
【００３９】
また、空調システムは、冷媒ガスの圧縮と膨張のサイクルを行って冷暖房を行ういわゆるヒートポンプを用いる。例えば冷房を行うときは、コンプレッサによって冷媒ガスを圧縮し、高温化して室外熱交換器で送風と熱交換し、膨張弁で低温化して室内熱交換器で送風と熱交換して冷風を室内に送り込む。なお、暖房を行うときはその逆に、圧縮して高温化した冷媒ガスを室内熱交換器で送風と熱交換して温風を室内に送り込む。以下では、ヒートポンプを冷房に用い、室内熱交換器は送風と熱交換して冷風を車室内に送り込むものとする。そして、室外熱交換器と直列にＡＣ熱交換器を配置し、高温化した冷媒ガスをＡＣ熱交換器に流す構成をとる。このように、ヒートポンプ式の空調システムには、室内熱交換器と室外熱交換器とが用いられるが、これらは、主冷却流路または分流冷却流路に用いられる冷媒である冷却水と熱交換するものではない。ＡＣ熱交換器は、空調システムの冷媒ガスと、分流冷却流路に用いられる冷媒である冷却水と熱交換するもので、室内熱交換器、室外熱交換器とは別に設けられる。
【００４０】
図２は、燃料電池と空調の協調冷却システム８０の構成を示す図である。燃料電池と空調の協調冷却システム８０は、協調冷却システム本体部８２と、協調冷却制御部１５０とを含んで構成される。ここで、図２は、車両用燃料電池システムについて、協調冷却のための要素を抜き出して示したもので、図１で説明した燃料電池運転システム１０と、この燃料電池と空調の協調冷却システムとは、あいまって、１つの車両用燃料電池システムを構成するものである。したがって、図２の協調冷却システム本体部８２は、図１の運転システム本体部２０と共に、車両用燃料電池システムにおけるシステム本体部を構成するものである。また、上記のように、協調冷却制御部１５０は、図１で説明した制御部７０の一部として構成されることができる。
【００４１】
図２に示されるように、協調冷却システム本体部８２は、燃料電池運転システム１０におけるカソード側の冷却システムと、空調システム１３０とを含んで構成される。もちろん、場合によっては、アノード側の冷却システムを含むものとしてもよい。なお、協調冷却システム本体部８２を構成するものではないが、空調された空気が供給される対象として、車室内８が図２に示されている。
【００４２】
図２において、燃料電池運転システム１０の要素としては、燃料電池スタック２２と、カソード側の要素として、ＡＣＰ４８、モータ５０、加湿器５４、酸化ガス経路６６が示されている。酸化ガス経路６６は細い線で示され、これに対して、冷媒の流れる流路が太い線で示してある。
【００４３】
冷媒の流れる流路は、大別して、燃料電池スタック２２とラジエータ１００との間で冷媒を循環させる燃料電池側循環流路と、空調システム１３０に関連して空調のために冷媒を循環させる空調側循環流路とに分けることができる。ここで、両者を区別して、前者をＦＣ循環流路、後者をＡＣ循環流路と呼ぶことにする。ＦＣは、Ｆｕｅｌ  Ｃｅｌｌの頭文字をとったもので、燃料電池系を指す。協調冷却においては、燃料電池スタック２２の運転状況、空調システム１３０の運転状況等に応じ、ＦＣ循環流路とＡＣ循環流路との間を遮断し、あるいは両者を連結することが行われる。両者を遮断するときは、冷媒はそれぞれの循環流路を相互に独立して流れることになる。したがって、ＦＣ循環流路とＡＣ循環流路を流れる冷媒は物質的には同じものであるが、温度、流量、流速等が異なることがあるので、両者を区別し、ＦＣ循環流路を流れる冷媒をＦＣ側冷媒、ＡＣ循環流路を流れる冷媒をＡＣ側冷媒と呼ぶことができる。
【００４４】
別の見方をすると、協調冷却システム本体部８２は、冷媒の流れる流路として、主冷却流路８４が設けられ、さらに、この主冷却流路８４に並列に配置され、同じ冷媒を分流する分流冷却流路８６、９０が設けられる。分流冷却流路８６は、ＡＣＰ４８のためのものであり、分流冷却流路９０は、空調のためのものである。ここで、主冷却流路８４と、ＡＣＰ４８のための分流冷却流路８６とは、ＦＣ循環流路を構成する。空調のための分流冷却流路９０は、ＡＣ循環流路を構成する。
【００４５】
冷媒としては、水を主体としたＬＬＣ（Ｌｏｎｇ  Ｌｉｆｅ  Ｃｏｏｌａｎｔ）等を用いることができる。以下では、空調システム１３０の冷媒ガスと区別するため、ＬＬＣ等を用いる冷媒を、単に冷却水と呼ぶことにする。
【００４６】
主冷却流路８４には、ファン１０２を備えるラジエータ１００と、加熱用のヒータ１０４と、ヒータ１０４に冷却水を適当に分流するための三方弁１０６と、ＦＣ側冷媒である冷却水を循環させるためのＦＣ冷媒ポンプ（ＷＰ１）１０８が配置される。また、冷却水のイオンを除去するためのイオン交換器が、主冷却流路８４に並列または直列に配置される。また、イオン交換器１４４には、冷却水のイオン濃度を検出するイオン検出手段が設けられ、検出されたイオン濃度のデータは、協調冷却制御部１５０に伝送される。なお、図２ではイオン交換器１４４が燃料電池側のＦＣ循環流路に設けられているが、場合によっては、空調側のＡＣ循環流路に設けてもよい。
【００４７】
また、主冷却流路８４の燃料電池スタック２２の出口側には、ＦＣ側冷媒の温度である冷却水温度を検出するためのＦＣ冷媒温度検出手段として、ＦＣ冷却水温度計１１２が設けられる。ＦＣ冷却水温度計１１２の検出データは、協調冷却制御部１５０に伝送される。
【００４８】
主冷却流路８４を流れる冷却水は、ラジエータ１００と燃料電池スタック２２との間で循環し、温度が上昇した燃料電池スタック２２の熱を冷却水によって運び出し、ラジエータ１００で冷却し、再び燃料電池スタック２２に戻す機能を有する。
【００４９】
なお、加湿器５４は、上記のように燃料電池スタック２２のカソード側に酸化ガスを供給するガス入口及びガス出口に対し並列に配置されるが、主冷却流路８４の冷却水は加湿器５４を通らない。すなわち、加湿器５４は、主冷却流路８４の冷却水によっては冷却されない。もっとも、加湿器５４に冷却が必要な場合等において、主冷却流路８４を加湿器５４の中を通過させ、主冷却流路８４の冷却水によって加湿器との間で熱交換を行うものとしてもよい。
【００５０】
ＡＣＰ４８のための分流冷却流路８６は、主冷却流路８４に並列に配置される。そして、主冷却流路８４の冷却水が燃料電池スタック２２からラジエータ１００に向かって戻される排出側流路から冷却水が取り入れられ、主冷却流路８４の冷却水がラジエータ１００から燃料電池スタック２２に向かって流れる供給側流路に分流された冷却水が戻される。分流冷却流路８６は、ＡＣＰ４８のモータ５０側から第２熱交換器１１０に入り、そこで、ＡＣＰ４８から加湿器５４及び燃料電池スタック２２に供給される圧縮酸化ガスが流れる酸化ガス経路６６に対しても熱交換を行い、その後主冷却流路８４に戻される。したがって、第２熱交換器１１０は、酸化ガスの温度を調整する機能を有する。従来、この機能は、インタクーラと呼ばれる独立の冷却系で実行されているが、図２の構成では、この従来のインタクーラの機能を、ラジエータ１００から燃料電池スタック２２に至る冷却系と冷却水を共通化して統合する形態となっている。
【００５１】
ここでＦＣ冷媒ポンプ１０８は、主冷却流路８４の供給側流路に設けられ、分流冷却流路８６の冷却水戻し分流位置の下流側に設けられる。図２に即して述べれば、第２熱交換器１１０は、ラジエータ１００の下流側であってＦＣ冷媒ポンプ１０８の上流側から冷却水が取り入れられる。つまり、ＦＣ冷媒ポンプ１０８の上流側において冷却水が流れるものとして、ラジエータ１００と第２熱交換器１１０があり、ＦＣ冷媒ポンプ１０８の下流側において冷却水が流れるものとして燃料電池スタック２２がある。
【００５２】
したがって、この構成で、仮に空調のための分流冷却流路９０を分離するものとすれば、（ラジエータ１００を流れる冷却水量）＋（第２熱交換器１１０を流れる冷却水量）＝冷却水総量＝（燃料電池スタック２２を流れる冷却水量）となるので、燃料電池スタック２２にかなり多くの冷却水量を供給できる。これにより、燃料電池スタック２２の温度が高すぎるときは迅速にその熱をラジエータ１００側に運び出すことができる。また、（ラジエータ１００を流れる冷却水量）と（第２熱交換器１１０を流れる冷却水量）との比率も、これらの流路抵抗の比率等で定めることができ、あるいは、分流比率を制御する制御弁を用いて、これらを流れる冷却水量を定め、ラジエータ１００と、第２熱交換器１１０とを協調的に作動させることができる。
【００５３】
また、分流冷却流路８６が主冷却流路８４と並列に設けられるので、第２熱交換器１１０から排出される冷却水の温度と、燃料電池スタック２２から排出される冷却水の温度との差を少なくすることができる。前者は、加湿器５４の酸化ガス入口側の酸化ガス温度を規定し、後者は、加湿器５４の酸化ガス出口の温度を規定するので、これにより、加湿器５４のガス入口両端の温度差を少なくすることができ、中空糸構造のものを用いる場合でも両端温度差による損傷を抑制することができる。
【００５４】
図２の協調冷却システム本体部８２においては、ＡＣＰ４８のための分流冷却流路８６に加えてさらに、空調のための分流冷却流路９０が設けられている。空調のための分流冷却流路９０には、上記のようにＡＣ循環流路を構成するものであるが、その経路の中に２つの熱交換器と、ＡＣ側冷媒を循環させるＡＣ冷媒ポンプ（ＷＰ２）１２６とを含む。２つの熱交換器の１つは、ヒートコア１２０であり、他の１つはＡＣ熱交換器１２４である。そして、ＡＣ循環流路である分流冷却流路９０は、この２つの熱交換器が配置される流路と、その流路の両端を接続する流路とから構成される。前者をＡＣ熱交換流路９４とよび、後者を接続流路９２と呼ぶことにする。
【００５５】
ＡＣ熱交換流路９４の両端はそれぞれ接続流路９２に接続されるが、その２つの接続点と、ＦＣ循環流路との間は、それぞれ分岐流路８５と、延長流路９１とで接続される。そして、ＡＣ熱交換流路９４と接続流路９２と、ＦＣ循環流路からの分岐流路８５の３つの流路が集まる接続点に、三方弁９６が設けられる。なお、図２の例では、ＡＣ熱交換流路９４と接続流路９２と、ＦＣ循環流路への延長流路９１の３つの流路が集まる接続点には三方弁が設けられていないが、場合によっては、ここにも三方弁を設けることができる。
三方弁９６の作用については後述する。
【００５６】
また、ＡＣ熱交換流路９４には、ＡＣ側冷媒の温度である冷却水温度を検出するためのＡＣ冷媒温度検出手段として、ＡＣ冷却水温度計１４２が設けられる。ＡＣ冷却水温度計１４２の検出データは、協調冷却制御部１５０に伝送される。
【００５７】
ヒートコア１２０は、ＡＣ側冷媒である冷却水を流す管路部材で、その外側をブロワ１２２からの送風を流すことで、ＡＣ側冷媒と送風との間で熱交換を行うものである。例えば、ＡＣ側冷媒が暖かいときは、ブロワ１２２からの送風を暖め、これを車室内８に供給することで、車室内の暖房をすることができる。このように、ヒートコア１２０は温水の熱を利用して空調を行うもので、いわば、温水ヒータである。
【００５８】
ＡＣ熱交換器１２４は、空調システム１３０の冷媒ガスとＡＣ側冷媒である冷却水との間で熱交換を行うものである。空調システム１３０は、上記のように、炭酸ガス等の冷媒ガスの圧縮と蒸発のサイクルを行うヒートポンプ式のもので、膨張して低温化した冷媒ガスを用いて室内熱交換器１３８において室内空気との熱交換が行われ冷風が車室内に送り込まれ、一方で圧縮され高温化された冷媒ガスの廃熱が室外熱交換器１３４によって室外に放出される。図２では、空調システム１３０の構成要素として、冷媒ガスの圧縮を行うコンプレッサ（ＣＰ）１３２、室外熱交換器１３４、冷媒ガスを膨張させる膨張弁（ＥＶ）１３６、室内熱交換器１３８、室外熱交換器１３４における廃熱を外気に放出するためのファン１４０が示されている。そして、冷房要求があるとき、冷媒ガスは、コンプレッサ１３２とＡＣ熱交換器１２４と室外熱交換器１３４と膨張弁１３６と室内熱交換器１３８とを結ぶ循環経路の中を循環する。ＡＣ熱交換器１２４の内部には、この空調システム１３０のガス冷媒と、冷却水とが流れるので、ガス冷媒と冷却水との間で熱交換を行うことができる。例えば熱いガス冷媒の熱を冷却水に与え、冷却水を暖めることができる。
【００５９】
空調システム１３０において、ＡＣ熱交換器１２４に並列にバイパス流路１４６が設けられる。三方弁１４８は、空調システム１３０におけるガス冷媒の流れ方を、バイパス流路１４６を流れずにＡＣ熱交換器１２４を流れる態様と、バイパス流路１４６を流れＡＣ熱交換器１２４を流れない態様との間で切り換える切換弁である。三方弁１４８の作用は、ＡＣ熱交換器１２４に高温のガス冷媒を流したくないときにバイパス流路を用いることができるようにするものである。三方弁１４８の動作は、協調冷却制御部１５０の制御の下で行われる。
【００６０】
空調システム１３０に加えて、ヒートコア１２０とＡＣ熱交換器１２４とを利用する空調は次のように行うことができる。ユーザ等から冷房要求があるときは、コンプレッサ１３２を駆動する。そして圧縮された冷媒ガスを膨張弁１３６で膨張させて低温化し、室内熱交換器１３８においてブロワ１２２からの送風と熱交換し、送風の熱を奪って冷風とし、車室内８に送り込む。ユーザ等から暖房要求があるときは、燃料電池スタック２２によって暖められ主冷却流路８４から分流してきた温水をヒートコア１２０に流し、ブロワ１２２からの送風を暖めて温風とし、車室内に送り込む。このとき、ＡＣ熱交換器１２４でも熱い冷媒ガスと冷却水との間で熱交換が行われ、冷却水が暖められるので、より、効果的に温風とすることができる。ユーザ等からドライ送風の要求があるときは、コンプレッサ１３２の駆動による室内熱交換器１３８における冷風と、ヒートコア１２０からの温風とを断続的に車室内に送込む。このように、燃料電池スタック２２の廃熱、空調システム１３０の廃熱を利用し、電力を用いるヒータを設けることなく、冷房、暖房、ドライ送風を行うことができる。
【００６１】
なお、図２で示すように、ブロワ１２２は、ヒートコア１２０の送風用と、空調システム１３０の室内熱交換器１３８の送風用とを兼ねることができる。ヒートコア１２０の温風と、室内熱交換器１３８の冷風とが干渉することを避けるために、ブロワ１２２の送風の向きを変更する機構を設けることができる、送風の向きの変更機構は、例えば、ヒートコア１２０のみを経由して車室内に送風する場合、室内熱交換器１３８のみを経由して車室内に送風する場合、ヒートコア１２０と室内熱交換器１３８の双方を経由して車室内に送風する場合、の間で切換を行うものとすることができる。また、ヒートコア１２０を経由せずに送風する場合に、ヒートコア１２０を経由した送風を車室外に放出するようにすることもできる。このような送風の向きの変更機構は、例えば、送風流路を変更する弁、あるいは送風壁の移動機構等を用いることができる。
【００６２】
また、空調システム１３０の室外熱交換器１３４のためのファン１４０は、ＦＣ循環流路のためのラジエータ１００に用いられるファン１０２と兼用するものとすることができる。あるいは、ファン１４０とファン１０２とを同じ領域に並べ、共にラジエータ１００と室外熱交換器１３４とを送風するものとすることができる。この配置をとるときは、燃料電池スタック２２の運転状況、空調システム１３０の運転状況に応じて、送風量を加減することができる。例えば、ファン１０２、ファン１４０を共に駆動して、送風量を最大にし、またはいずれか一方を駆動して送風量を少なくして燃費を向上させ、また、車両が走行中で、走行風を利用することができる場合に、いずれのファンも駆動を停止するものとすることができる。
【００６３】
三方弁９６は、協調冷却制御部１５０の制御の下で、その接続の仕方が変更される制御弁である。上記のように、三方弁９６は、ＡＣ熱交換流路９４の一方端と、接続流路９２の一方端と、主冷却流路８４から分岐した分岐流路８５と、３つの流路が集まる合流点に設けられる。三方弁９６の接続の制御は、燃料電池スタック２２の運転状況、空調システム１３０の運転状況等に基づき、次の２つの状態を切り換えることで行われる。
【００６４】
１つは、ＦＣ循環流路の主冷却流路８４と、ＡＣ循環流路である分流冷却流路９０とを遮断する遮断状態である。もう１つは、ＡＣ循環流路の接続流路９２を開放し、ＡＣ熱交換流路９４をＦＣ循環流路に並列に連結してＦＣ側冷媒とＡＣ側冷媒とを共通化する連結状態である。具体的には、三方弁９６の流れる向きを、接続流路９２とＡＣ熱交換流路９４とを接続し、分岐流路８５とは接続しないようにするときが遮断状態である。また、ＡＣ熱交換流路９４と分岐流路８５とを接続し、接続流路９２を接続しないようにするときが連結状態である。
【００６５】
図３に遮断状態、図４に連結状態の様子を示す。遮断状態においては、燃料電池スタック２２側の冷却水が循環するＦＣ循環流路と、空調側の冷却水が循環するＡＣ循環流路との間が完全に遮断され、ＦＣ循環流路とＡＣ循環流路とが完全に分離される。ＦＣ循環流路には、燃料電池スタック２２とラジエータ１００との間をＦＣ冷媒ポンプ１０８によって、ＦＣ側冷媒である冷却水が循環する。そして、ＡＣＰ４８のための分流冷却流路８６が、主冷却流路８４に並列に設けられる。ＡＣ循環流路は、三方弁９６によって接続流路９２とＡＣ熱交換流路９４とが接続され、ヒートコア１２０とＡＣ熱交換器１２４とを通って、ＡＣ側冷媒である冷却水がＡＣ冷媒ポンプ１２６によって循環する。
【００６６】
図４に示されるように、連結状態においては、ＦＣ循環流路にＡＣ循環流路が並列に連結される。すなわち、ＦＣ循環流路の主冷却流路８４において、ラジエータ１００の上流側であって、燃料電池スタック２２の下流側、ＦＣ冷却水温度計１１２の下流側のところから分岐流路８５が分岐し、三方弁９６によって、ＡＣ熱交換流路９４の一端側と分岐流路８５とが接続され、接続流路９２が分離される。ＡＣ熱交換流路９４の他端側は、延びて、ＦＣ循環流路の主冷却流路８４に接続する延長流路９１となる。延長流路９１は、ＦＣ循環流路の主冷却流路８４において、ラジエータ１００の下流側、ＦＣ冷媒ポンプ１０８の下流側であって、燃料電池スタック２２の上流側に接続される。したがって、連結状態においては、ＦＣ循環流路から取り入れられた冷却水が、分岐流路８５、ＡＣ熱交換流路９４、延長流路９１を通って、ＡＣ冷媒ポンプ１２６、ヒートコア１２０、ＡＣ熱交換器１２４を流れながら、再びＦＣ循環流路に戻される。
【００６７】
この連結状態における構成では、（ラジエータ１００を流れる冷媒量）＋（第２熱交換器１１０を流れる冷媒量）＝冷媒総量＝（燃料電池スタック２２を流れる冷媒量）＋（ヒートコア１２０、ＡＣ熱交換器１２４を流れる冷媒量）となるので、燃料電池スタック２２に適当な冷媒量を供給しながら、空調のために冷媒を供給できる。
【００６８】
すなわち、この構成により、燃料電池スタック２２の運転によって暖められラジエータ１００によって適当な温度に維持されて循環している冷媒である冷却水を空調のために供給できる。なお、燃料電池スタック２２が十分暖まっていないときには、三方弁９６を遮断状態にすることで、冷たい冷媒を空調側のＡＣ循環流路に送り込まないようにできる。
【００６９】
このように、燃料電池スタック２２のためのＦＣ循環流路と、車室空調のためのＡＣ循環流路とについて冷媒を共通化し、燃料電池スタック２２の温度と車室内温度とに応じて三方弁９６の開閉を制御することで、燃料電池スタック２２の冷却系と、車室空調系とを、協調的制御の下で統合することができる。
【００７０】
再び図２に戻り、協調冷却制御部１５０は、協調冷却システム本体部８２の上記の各要素をシステム全体として制御するものである。かかる協調冷却制御部１５０はコンピュータで構成でき、上記のように、図１で説明した制御部７０の機能と共に、燃料電池ＣＰＵのような１つのコンピュータとして構成できる。
【００７１】
協調冷却制御部１５０は、燃料電池スタック２２の運転状況及び空調システム１３０の運転状況に応じて、燃料電池側の冷却水の循環と空調側の冷却水の循環とを、協調的に制御する機能を有する。特にここでは、協調冷却制御部１５０は、ＦＣ冷却水温度計１１２、ＡＣ冷却水温度計１４２から伝送されたデータに基づいてＦＣ側冷媒またはＡＣ側冷媒の温度が高すぎないか否かを判断する冷媒温度判断モジュール１５２と、イオン交換器１４４と共に設けられるイオン検出手段から伝送されるデータに基づいて冷却水のイオン濃度が高すぎないか否かを判断するイオン濃度判断モジュール１５４と、冷媒温度、イオン濃度及び燃料電池スタック２２の運転状況、空調システム１３０の運転状況に応じて、制御弁である三方弁９６について、遮断状態と連結状態との間の切換制御を実行する遮断・連結切換モジュール１５６と、燃料電池スタック２２の運転状況、空調システム１３０の運転状況に応じて、切換弁である三方弁１４８について、バイパス流路１４６を用いる場合と用いない場合と間の切換制御を実行するバイパス流路切換モジュールとを含んで構成される。これらの機能はソフトウェアで実現でき、具体的には、対応する燃料電池と空調の協調冷却プログラム等を実行することで実現できる。これらの機能の一部をハードウェアで実現することもできる。
【００７２】
上記構成の燃料電池と空調の協調冷却システム８０の作用に付き、特に、協調冷却制御部１５０の機能について、以下に詳細に説明する。なお、以下では、図１から図４における符号を用いて説明する。図５は、ＡＣ循環流路の冷却水温度が過度に高くならないようにする協調冷却制御の手順を示すフローチャートである。これらの手順は、燃料電池と空調の協調冷却プログラムの各処理手順に対応する。
【００７３】
ここでは、制御弁である三方弁９６が遮断状態で、かつＡＣ冷媒ポンプ１２６が停止している場合について説明する。このような場合は、暖房を必要としない季節、例えば、夏場に生じ得る。そして、空調システム１３０において冷房を使用すると、ＡＣ循環流路の中で冷却水が流動していないので、次第に冷却水の温度が上昇し、極端な場合、沸騰が生じる恐れがある。
【００７４】
そこで、まず制御弁である三方弁９６が遮断状態であるか（Ｓ１０）、かつＡＣ冷媒ポンプ（ＷＰ２）１２６が停止か（Ｓ１２）を監視する。この２つの条件を満たすと、Ｓ１４に進み、ＡＣ冷却水温度θACを取得し、予め定めておいた閾値温度θ1と比較する（Ｓ１４）。この機能は、協調冷却制御部１５０の冷媒温度判断モジュール１５２によって実行される。具体的には、ＡＣ冷却水温度計１４２から伝送されてくるデータと、閾値温度θ1とを比較する。閾値温度θ1としては、例えば、７０℃として設定することができる。もちろん、これ以外の温度を設定することもできる。
【００７５】
ＡＣ冷却水温度θACが閾値温度θ1を超える場合には、まずＡＣ冷媒ポンプ（ＷＰ２）１２６を駆動する（Ｓ１６）。これによって、ＡＣ循環流路内で冷却水が流動し、均一な冷却水温度となるので、ある程度の水温低下が期待できる。そして、再びＡＣ冷却水温度θACと閾値温度θ1とを比較する（Ｓ１８）。このときに、やはりＡＣ冷却水温度θACが閾値温度θ1を超える場合は、制御弁である三方弁９６を連結状態にする（Ｓ２０）。この機能は、協調冷却制御部１５０の遮断・連結切換モジュール１５６によって実行される。具体的には、制御弁である三方弁９６を制御して、連結状態に切り換える。この制御弁の制御によって、ＡＣ側冷媒とＦＣ側冷媒が共通化されるので、制御弁の連結状態への切換制御を共通化手段と呼ぶことができる。
【００７６】
この冷媒共通化制御によって、ＡＣ循環流路とＦＣ循環流路とが連結される。燃料電池スタック２２が運転中の場合は、ＦＣ循環流路においてラジエータ１００の作用により、ＦＣ側冷媒である冷却水は適当な水温に管理されている。したがって、連結状態とすることで、冷却水が共通化され、水温が均一となり、ＡＣ冷却水温度も低下する。これによって、ＡＣ冷却水の水温が過度に高くなることを抑制することができる。
【００７７】
連結状態にした後は、Ｓ１８に戻り、ＡＣ冷却水温度θACが閾値温度θ1以下となるまで連結状態のままとする。そして、Ｓ１８において、ＡＣ冷却水温度θACが閾値温度θ1以下となると、ＡＣ冷媒ポンプ（ＷＰ２）を停止し（Ｓ２２）、ついで、制御弁である三方弁９６を遮断状態に戻す（Ｓ２４）。これで、遮断状態においてＡＣ循環流路の冷却水温度が適切に維持できる。
【００７８】
上記では、制御弁である三方弁９６が遮断状態で、ＡＣ冷媒ポンプ１２６が停止しているため、ＡＣ循環流路における冷却水温度が高くなることを想定している。これと逆に、三方弁９６が遮断状態で、ＦＣ冷媒ポンプ１０８が停止していて、冷却水温度が高くなる場合もありえる。この場合の手順は、図５において、ＷＰ２をＷＰ１に変更し、ＡＣ冷却水温度θACをＦＣ冷却水温度θFCに変更したものになる。ＦＣ冷却水温度θFCは、ＦＣ冷却水温度計１１２によって検出され、協調冷却制御部１５０に伝送されるので、これを予め設定された閾値温度θ2と比較すればよい。この場合の閾値温度θ2は、図５で説明した閾値温度θ1と異なるものとしてもよい。
【００７９】
このように、ＡＣ冷却水温度計１４２、ＦＣ冷却水温度計１１２によって取得された冷媒の温度に応じて、制御弁である三方弁９６を連結状態として、ＦＣ側冷媒とＡＣ側冷媒とを共通化し、冷媒の温度が過度に高くなることを抑制できる。
【実施例２】
【００８０】
制御弁である三方弁９６が遮断状態で、ＦＣ冷媒ポンプあるいはＡＣ冷媒ポンプのいずれか一方が停止していると、その停止している方の循環流路の冷却水は循環しないので、上記のように、夏場等では、冷却水の温度が上昇することが起こる以外に、冷却水のイオン濃度が上昇することが起こる。すなわち、循環流路を構成する要素からイオンが冷却水の中に溶存してくる量が増加する。図２で示されるように、この冷却水中の溶存イオンを除去するために、イオン交換器１４４が設けられる。
【００８１】
図２のように、イオン交換器１４４がＦＣ循環流路にのみ設けられていると、ＦＣ循環流路において冷却水が循環しているうちはＦＣ冷却水のイオン濃度は低く抑えられる。例えば、ＦＣ冷媒ポンプ１０８が長期間停止し、ＦＣ冷却水が循環しないために、ＦＣ循環流路の中でイオン濃度が偏在しても、イオン検出手段によってイオン濃度ＣACを検出し、予め定めた閾値濃度Ｃ0より高いときは、ＦＣ冷媒ポンプ１０８を駆動すればよい。これにより、ＦＣ冷却水が循環し、イオン交換器１４４の作用によって、イオン濃度が低下し、閾値濃度Ｃ0以下に維持できる。
【００８２】
一方、制御弁である三方弁９６が遮断状態で、ＡＣ冷媒ポンプ１２６が停止していると、ＡＣ冷却水は循環していないので、イオン濃度が高くなってくる。この場合に、ＡＣ冷媒ポンプ１２６を駆動しても、イオン交換器１４４はＡＣ循環流路に配置されていないので、イオン濃度は低くならない。また、イオン検出手段も、ＡＣ循環流路には設けられていない。そこで、イオン濃度を低下させるには、制御弁である三方弁９６を連結状態にし、イオン濃度を検出し、イオン交換器１４４の作用で、所定のイオン濃度に下げることが必要となる。
【００８３】
図６は、ＡＣ循環流路のＡＣ冷却水のイオン濃度ＣACを低下させる手順を示すフローチャートである。ここでもまず、制御弁である三方弁９６が遮断状態であるか（Ｓ１０）、かつＡＣ冷媒ポンプ（ＷＰ２）１２６が停止か（Ｓ１２）を監視する。この工程は、図５で説明したものと同じである。この２つの条件を満たすと、適当な時期に、ＡＣ冷却ポンプ（ＷＰ２）を駆動し（Ｓ３０）、制御弁である三方弁９６を連結状態にする（Ｓ３２）。Ｓ３０とＳ３２の順序は、逆にしてもよい。ここで適当な時期とは、ＷＰ２の停止時間の長さで設定してもよい。通常は、遮断状態でＷＰ２が停止していると、ＡＣ冷却水温度θACが上昇してくるので、ＡＣ冷却水温度θACを監視して、Ｓ３０、Ｓ３２へ進むものとしてもよい。そのときの監視温度は、図５で説明した閾値温度θ1と異なるものとできる。
【００８４】
ＷＰ２を駆動し、三方弁９６を連結状態にすれば、イオン検出手段によって、共通化した冷媒のイオン濃度が検出できるので、これをＣACとして、閾値濃度Ｃ0と比較する（Ｓ３４）。この機能は、協調冷却制御部１５０のイオン濃度判断モジュール１５４によって実行される。閾値濃度Ｃ0は、冷却水の比抵抗値に換算したものを用いることができる。例えば、冷却水比抵抗値で、１００ＭΩｃｍに相当するイオン濃度を閾値濃度Ｃ0とすることができる。もちろん、これ以外の値を設定することもできる。閾値濃度Ｃ0としてもよい。
【００８５】
そして、イオン濃度ＣACが閾値濃度Ｃ0を超えるときは、連結状態の状態とし、イオン交換器１４４の作用により、イオン濃度ＣACが閾値濃度Ｃ0以下となるのを待つ。イオン濃度ＣACが閾値濃度Ｃ0以下となると、ＡＣ冷媒ポンプ（ＷＰ２）を停止し（Ｓ３６）、ついで、制御弁である三方弁９６を遮断状態に戻す（Ｓ３８）。これで、遮断状態においてＡＣ循環流路のイオン濃度が適切に維持できる。これらの機能は、協調冷却制御部１５０の遮断・連結切換モジュール１５６によって実行される。特に、連結状態への切換は、制御弁である三方弁９６を制御することで行われ、これによって、ＡＣ側冷媒とＦＣ側冷媒が共通化されるので、制御弁の連結状態への切換制御を共通化手段と呼ぶことができる。
【００８６】
このように、イオン交換器１４４に設けられたイオン検出手段によって取得された冷媒のイオン濃度に応じて、制御弁である三方弁９６を連結状態として、ＦＣ側冷媒とＡＣ側冷媒とを共通化し、冷媒のイオン濃度が過度に高くなることを抑制できる。
【実施例３】
【００８７】
上記のように、制御弁である三方弁９６が遮断状態にあり、ＦＣ冷媒ポンプ１０８またはＡＣ冷媒ポンプ１２６のいずれかが停止しているとき、三方弁９６を連結状態としてＦＣ側冷媒とＡＣ側冷媒とを共通化することで、冷却水の水温またはイオン濃度が過度に高くならないように抑制することができる。上記では、水温の抑制、イオン濃度の抑制を別々に説明したが、これらを合わせて抑制することもできる。
【００８８】
一般的には、夏場におけるヒートコアの使用はドライ送風等の場合であり、その使用頻度は少なくなり、制御弁である三方弁９６は遮断状態となり、ＡＣ冷媒ポンプ１２６は停止していることが多い。このときには、上記のように、ＡＣ側冷媒である冷却水の水温が上昇し、イオン濃度も増加する。そこで、夏場になれば、一定の基準で、制御弁である三方弁９６を連結状態としてもよい。たとえば、外気温度が予め定めた閾値温度以上であれば、車両の走行ごとに制御弁である三方弁９６を連結状態とするものとできる。例えば、イグニッションスイッチをオンにするごとに、所定時間の間、制御弁である三方弁９６を一時的に連結状態とし、その後再び遮断状態に戻す制御を行うことができる。
【００８９】
また、外気温度が閾値温度以上であれば、制御弁である三方弁９６を連結状態のままとしておくこともできる。この場合、ＡＣ冷媒ポンプ１２６は停止のままである。したがって、ＦＣ冷媒ポンプ１０８は、ＦＣ循環流路とＡＣ循環流路の双方に冷却水を循環させることになり、ＦＣ循環流路のみの場合に比べ負荷が増大するが、水温及びイオン濃度の抑制を確実に行うことができる。
【実施例４】
【００９０】
燃料電池スタック２２の効率的な発電のためには、燃料電池スタック２２に供給される冷却水の温度を所定の範囲に維持することが好ましい。ところで、ＦＣ循環流路におけるＦＣ側冷媒の温度が低過ぎ、あるいは高過ぎる場合に、制御弁である三方弁９６を連結状態にすると、冷却水が共通化され、燃料電池スタック２２に供給する冷却水を適度な温度にすることが遅くなることが生じ得る。あるいは、冷却水を共通化することで、燃料電池スタック２２に供給する冷却水の水温を適度な範囲に維持することが困難となることが生じ得る。
【００９１】
そこで、制御弁である三方弁９６が遮断状態であって、かつ、ＦＣ側冷媒の温度であるＦＣ冷却水温度θFCが予め定めた温度範囲を超える場合に、制御弁である三方弁９６を連結状態とすることを禁止するものとできる。このときには、場合によって、ＡＣ循環流路において、ＡＣ冷却水温度θACが閾値温度を超えることが生じ、あるいはＡＣ冷却水のイオン濃度ＣACが閾値濃度を超えることが生じ得るが、燃料電池スタック２２の運転の維持の方を優先することになる。
【００９２】
予め定めた温度範囲としては、燃料電池スタック２２の発電効率から見て好ましい温度範囲の両側または片側に、余裕温度を持たせたものとすることができる。例えば発電効率から見て好ましい温度範囲に、±５℃程度の余裕温度を持たせ、この範囲を超えてＦＣ冷却水温度θFCが低温または高温となるときに、制御弁である三方弁９６を遮断状態とし、連結状態への切換を禁止するものとできる。
【実施例５】
【００９３】
制御弁である三方弁９６が遮断状態で、冷房要求があると、空調システム１３０はコンプレッサ１３２を稼動させることになり、ＡＣ熱交換器１２４に熱いガス冷媒が通過し、ＡＣ冷却水が加熱される。これにより、ＡＣ冷却水温度θACが過度に高くなる恐れがある。図２から図４に示す切換弁である三方弁１４８は、バイパス流路１４６を接続状態または分離状態に切り換えるもので、三方弁１４８を分離状態にすることで、ＡＣ熱交換器１２４に熱いガス冷媒が通過しないようにできる。
【００９４】
一般的なヒートポンプは、コンプレッサ、室外熱交換器、膨張弁、室内熱交換器で構成される循環系であるので、図２等で説明した空調システム１３０は、一般的なヒートポンプにＡＣ熱交換器１２４が直列に配置されたものとなっている。切換弁である三方弁１４８は、バイパス流路１４６を開放することで、一般的なヒートポンプ循環系にＡＣ熱交換器１２４を接続する接続状態と、バイパス流路１４６を用いて、一般的なヒートポンプ系とＡＣ熱交換器１２４とを分離する分離状態との間で切り換える機能を有する。
【００９５】
図７は、制御弁である三方弁９６が遮断状態で、ＡＣ冷媒ポンプ１２６が停止しているときに、切換弁である三方弁１４８を分離状態とする様子を示す図である。図７において、ＡＣ冷媒ポンプ１２６は、運転が停止していることを示すため、破線で表してある。すなわち、ＡＣ循環流路である分流冷却流路９０において、ＡＣ冷却水は流れていない。そこで、切換弁である三方弁１４８を分離状態とし、一般的なヒートポンプ系とＡＣ熱交換器１２４とを分離する。この機能は、協調冷却制御部１５０のバイパス流路切換モジュール１５８によって実行される。このことで、冷房要求によってコンプレッサ１３２が稼動しても、圧縮され高温化した冷媒ガスは、ＡＣ熱交換器１２４を通らず、バイパス流路１４６を通り、室外熱交換器１３４に直行する。したがって、熱い冷媒ガスがＡＣ熱交換器１２４に供給されず、分流冷却流路９０におけるＡＣ冷却水を加熱することがない。これによって、冷房要求があっても、ＡＣ冷却水温度θACの上昇を抑制できる。
【実施例６】
【００９６】
なお、制御弁である三方弁９６が遮断状態で、冷房要求があり、そこで切換弁である三方弁１４８を接続状態とするときに、ＡＣ冷却水温度θACの上昇を抑制するには、次の方法をとることができる。すなわち、空調システム１３０の稼動と共に、すなわちコンプレッサ１３２の駆動開始とともに、ＡＣ冷媒ポンプ１２６の駆動を開始すればよい。その様子を図８に示す。ここでは、切換弁である三方弁１４８を接続状態とし、一般的なヒートポンプ系とＡＣ熱交換器１２４とを直列接続する。このことで、冷房要求によってコンプレッサ１３２が稼動すると、高温の冷媒ガスがＡＣ熱交換器１２４を通過する。ここで、コンプレッサ１３２の駆動開始と共に、例えば、コンプレッサ１３２の駆動開始と同時に、ＡＣ冷媒ポンプ１２６を駆動開始する。このことで、ＡＣ循環流路である分流冷却流路９０の冷却水が循環し、ＡＣ熱交換器１２４で熱交換が行われても、冷却水の温度を均一化することができ、ＡＣ冷却水温度θACの局部的上昇による冷却水の沸騰等を抑制できる。
【図面の簡単な説明】
【００９７】
【図１】本発明に係る実施の形態における燃料電池と空調の協調冷却システムが適用される燃料電池運転システムの構成図である。
【図２】本発明に係る実施の形態において、燃料電池と空調の協調冷却システムの構成を示す図である。
【図３】本発明に係る実施の形態において、三方弁が遮断状態のときの協調冷却システム本体部の様子を示す図である。
【図４】本発明に係る実施の形態において、三方弁が連結状態のときの協調冷却システム本体部の様子を示す図である。
【図５】本発明に係る実施形態において、冷却水温度上昇を抑制する手順のフローチャートである。
【図６】他の実施形態において、冷却水のイオン濃度を抑制する手順のフローチャートである。
【図７】別の実施形態において、バイパス流路を用いて、冷却水温度の上昇を抑制する様子を示す図である。
【図８】別の実施形態において、バイパス流路を用いない場合に、冷却水温度の上昇を抑制する様子を示す図である。
【符号の説明】
【００９８】
８  車室内、１０  燃料電池運転システム、２０  運転システム本体部、２２  燃料電池スタック、２４  水素ガス源、２６  レギュレータ、２８  圧力計、３０  循環昇圧器、３２  分流器、３４  排気バルブ、４０  酸化ガス源、４２  フィルタ、４４  流量計、４６  酸化ガス温度計、４８  ＡＣＰ、５０  モータ、５２  ＡＣＰ消費電力検出部、５４  加湿器、５６  圧力計、６０  調圧弁、６４  希釈器、６６  酸化ガス経路、６８  ＦＣ発電電力検出部、７０  制御部、８０  協調冷却システム、８２  協調冷却システム本体部、８４  主冷却流路、８５  分岐流路、８６，９０  分流冷却流路、９１  延長流路、９２  接続流路、９４  熱交換流路、９６，１０６，１４８  三方弁、１００  ラジエータ、１０２，１４０  ファン、１０４  ヒータ、１０８  ＦＣ冷媒ポンプ、１１０  第２熱交換器、１１２  ＦＣ冷却水温度計、１２０  ヒートコア、１２２  ブロワ、１２４  ＡＣ熱交換器、１２６  ＡＣ冷媒ポンプ、１３０  空調システム、１３２  コンプレッサ、１３４  室外熱交換器、１３６  膨張弁、１３８  室内熱交換器、１４２  ＡＣ冷却水温度計、１４４  イオン交換器、１４６  バイパス流路、１５０  協調冷却制御部、１５２  冷媒温度判断モジュール、１５４  イオン濃度判断モジュール、１５６  遮断・連結切換モジュール、１５８  バイパス流路切換モジュール。
【図１】
2008130476.tif 000003
【図２】
2008130476.tif 000004
【図３】
2008130476.tif 000005
【図４】
2008130476.tif 000006
【図５】
2008130476.tif 000007
【図６】
2008130476.tif 000008
【図７】
2008130476.tif 000009
【図８】
2008130476.tif 000010